(57)【特許請求の範囲】
【請求項１】
遊技球を受け入れ可能な受入口（１０ｃ）と、
前記受入口（１０ｃ）から入った遊技球を振り分ける振分部材（１２）であって、遊技球を第一方向へ進行させる第一姿勢と、遊技球を第二方向へ進行させる第二姿勢と、にその姿勢を変更可能であり、前記第一姿勢のときに遊技球が前記第一方向に振り分けられると前記第一姿勢から前記第二姿勢にその姿勢が変化する振分部材（１２）と、
前記振分部材（１２）によって前記第一方向に振り分けられた遊技球を誘導する第一誘導路（１０ｄ）と、
前記第一誘導路（１０ｄ）によって誘導される遊技球が所定位置を通過するときに、遊技球の自重を利用して、前記振分部材（１２）を前記第二姿勢から前記第一姿勢に復帰させる姿勢復帰機構（１４）と、
を備えることを特徴とする弾球遊技機用の振分装置（１）。
【請求項２】
請求項１に記載の弾球遊技機用の振分装置（１）において、
前記第一誘導路（１０ｄ）は、前記所定位置よりも上流側に漏斗部（１０ｈ）が設けられていること
を特徴とする弾球遊技機用の振分装置（１）。
【請求項３】
請求項１又は請求項２に記載の弾球遊技機用の振分装置（１）において、
前記振分部材（１２）によって前記第二方向に振り分けられた遊技球を誘導する第二誘導路（１０ｅ）を備え、
前記姿勢復帰機構（１４）は、前記第二誘導路（１０ｅ）によって誘導される遊技球が所定位置を通過するときに、遊技球の自重を利用して、前記振分部材（１２）を前記第二姿勢から前記第一姿勢に復帰させること
を特徴とする弾球遊技機用の振分装置（１）。
【請求項４】
遊技球を受け入れ可能な受入口（１０ｃ）と、
前記受入口（１０ｃ）から入った遊技球を振り分ける振分部材（１２）であって、遊技球を第一方向へ進行させる第一姿勢と、遊技球を第二方向へ進行させる第二姿勢と、にその姿勢を変更可能であり、前記第一姿勢のときに遊技球が前記第一方向に振り分けられると前記第一姿勢から前記第二姿勢にその姿勢が変化する振分部材（１２）と、
前記振分部材（１２）によって前記第一方向に振り分けられた遊技球を誘導する第一誘導路（１０ｄ）と、
前記第一誘導路（１０ｄ）によって誘導される遊技球が所定位置を通過するときに当該遊技球と当接することにより作動し、前記振分部材（１２）を前記第二姿勢から前記第一姿勢に変化させる姿勢復帰機構（１４）と、
を備えることを特徴とする弾球遊技機用の振分装置（１）。
【発明の詳細な説明】
【技術分野】
【０００１】
本発明は、パチンコ機等の弾球遊技機の技術分野に属する。
【背景技術】
【０００２】
従来より、遊技領域に打ち込まれて流下する遊技球を受け入れ、その流下方向を第１方向と第２方向とで振り分け、この振り分けに伴い遊技球が入賞する入賞口を異ならせる機能を有する振分装置が知られている。
【０００３】
例えば、特許文献１に記載の振分装置は、進入してきた遊技球に押圧されて回転体が回転することにより、振分部材が右側通路へ遊技球を進入させない通常姿勢から、右側通路を開放する傾倒姿勢へと姿勢を変えるとともに、重りにより振分部材が自動的に傾倒姿勢から通常姿勢へと復帰するように構成されている。
【先行技術文献】
【特許文献】
【０００４】
【特許文献１】特開２０１３−７０７０３号公報
【発明の概要】
【発明が解決しようとする課題】
【０００５】
しかし、特許文献１に記載の振分装置においては、振分部材が通常姿勢から傾倒姿勢へと姿勢を変えるのは、進入してきた遊技球が回転体を回転させてから、遊技球が通過して回転体が元の位置に戻るまでの間の時間となっている。このため、遊技球が流下する速度が速いとこの時間が短く限定されることとなり、演出効果を高めるためなどこの時間を長く設定したいとのニーズに充分に応えられないという問題があった。
【０００６】
本発明は、このような課題に鑑みなされたものであり、その目的とするところは、演出効果の高い弾球遊技機用の振分装置を提供することにある。
【課題を解決するための手段】
【０００７】
本開示の一態様である弾球遊技機用の振分装置（１）は、遊技盤の正面側に形成された遊技領域を流下する遊技球を受け入れ可能な受入口（１０ｃ）と、前記受入口（１０ｃ）から入った遊技球を第一方向または第二方向の何れかに振り分け可能であり、遊技球を前記第一方向へ進行させるが前記第二方向へは進行させない第一姿勢と遊技球を前記第二方向へ進行させるが前記第一方向へは進行させない第二姿勢との間でその姿勢を変更可能であり、初期状態では前記第一姿勢であり、遊技球が通過すると前記第一姿勢から前記第二姿勢にその姿勢が変化する振分部材（１２）と、前記振分部材（１２）によって前記第一方向に振り分けられた遊技球を誘導する第一誘導路（１０ｄ）と、前記振分部材（１２）によって前記第二方向に振り分けられた遊技球を誘導する第二誘導路（１０ｅ）と、前記振分部材（１２）によって振り分けられた遊技球を所定位置で検知すると、遊技球の自重を利用して、前記振分部材（１２）を前記第二姿勢から前記第一姿勢に復帰させる姿勢復帰機構（１４）と、を備えることを特徴とする。
【０００８】
このように構成された本発明の弾球遊技機用の振分装置（１）によれば、姿勢復帰機構（１４）が、振分部材（１２）によって振り分けられた遊技球を所定位置で検知すると、遊技球の自重を利用して、振分部材（１２）を第二姿勢から第一姿勢に復帰させる。このことにより、振分部材（１２）によって振り分けられた遊技球を検知する位置（所定位置）を振分位置から離れた場所に設定することで、受入口（１０ｃ）から入った遊技球を振り分ける方向を一時的に変更している時間を長く設定可能とすることができ、高い演出効果を発揮することができる。
【０００９】
上述した弾球遊技機用の振分装置（１）において、前記姿勢復帰機構（１４）は、前記第一誘導路（１０ｄ）によって誘導される遊技球を所定位置で検知すると、遊技球の自重を利用して、前記振分部材（１２）を前記第二姿勢から前記第一姿勢に復帰させるように構成されていてもよい。
【００１０】
このように構成された本発明の弾球遊技機用の振分装置（１）によれば、姿勢復帰機構（１４）が、第一誘導路（１０ｄ）によって誘導される遊技球を所定位置で検知することで、振分部材（１２）によって振り分けられた遊技球を検知する位置（所定位置）を振分位置から更に離れた位置に設定することができるので、受入口（１０ｃ）から入った遊技球を振り分ける方向を一時的に変更している時間をより長く設定可能とすることができ、より高い演出効果を発揮することができる。
【００１１】
上述した弾球遊技機用の振分装置（１）において、前記姿勢復帰機構（１４）は、前記第二誘導路（１０ｅ）によって誘導される遊技球を所定位置で検知すると、遊技球の自重を利用して、前記振分部材（１２）を前記第二姿勢から前記第一姿勢に復帰させるように構成されていてもよい。
【００１２】
このように構成された本発明の弾球遊技機用の振分装置（１）によれば、万が一、第一誘導路（１０ｄ）側の遊技球の通過時に振分部材（１２）が元の位置に復帰しなかった場合でも、第二誘導路（１０ｅ）側の遊技球の通過時に振分部材（１２）を元の位置に復帰させることができる。
【図面の簡単な説明】
【００１３】
【図１】実施形態の振分装置を示す前方斜視図である。
【図２】実施形態の振分装置を示す後方斜視図である。
【図３】実施形態の振分装置を示す概略構成図であり、（ａ）が正面図、（ｂ）が側面図、（ｃ）が背面図である。
【図４】実施形態の振分装置の筐体本体を取り外した状態を示す概略構成図であり、（ａ）が正面図、（ｂ）が側面図、（ｃ）が背面図である。
【図５】実施形態の振分装置の筐体本体を取り外した状態を示す概略構成図であり、（ａ）が正面図、（ｂ）が側面図、（ｃ）が背面図である。
【図６】実施形態の振分装置の筐体本体を取り外した状態を示す概略構成図であり、（ａ）が正面図、（ｂ）が側面図、（ｃ）が背面図である。
【図７】実施形態の振分装置の筐体本体を取り外した状態を示す概略構成図であり、（ａ）が正面図、（ｂ）が側面図、（ｃ）が背面図である。
【発明を実施するための形態】
【００１４】
以下に本発明の実施形態を図面とともに説明する。なお、本発明は下記実施形態に限定されるものではなく、様々な態様にて実施することが可能である。
［１．振分装置１の構成の説明］
図１に示す振分装置１は、遊技領域に打ち込まれて流下する遊技球を受け入れ、受け入れた遊技球の流下方向を振り分け、この振り分けに伴い遊技球が入賞する入賞口を異ならせる機能を有する装置である。
【００１５】
以下の説明においては、振分装置１を構成する各部の相対的な位置関係を簡潔に説明するために、図中に併記した上下左右前後の各方向を利用して説明を行う。
振分装置１は、図１〜図３に示すように、筐体１０を備えている。また、筐体１０には、図４に示すように、振分部材１２が収容されている。また、筐体１０には、図２〜図４に示すように、姿勢復帰機構１４が取り付けられている。以下、筐体１０、振分部材１２、姿勢復帰機構１４の順に説明する。
【００１６】
［１．１．筐体１０の構成の説明］
筐体１０は、図１〜図３に示すように、一部が開口する箱形状に形成された筐体本体１０ａと、筐体本体１０ａの開口を閉塞可能な蓋１０ｂと、を備え、筐体本体１０ａと蓋１０ｂとが合わさった際に箱体になるよう形成されている。
【００１７】
筐体１０には、受入口１０ｃ、第一誘導路１０ｄおよび第二誘導路１０ｅが設けられている。受入口１０ｃは、筐体本体１０ａの上端部前面側に形成された開口であり、遊技球を筐体１０内に受け入れるのに用いられる。筐体１０内に受け入れられた遊技球は、図４に示すように、一対のガイド板１０ｆ，１０ｆの間を通過して、筐体１０内部に配置された振分部材１２によって第一誘導路１０ｄ（第一方向）または第二誘導路１０ｅ（第二方向）の何れかに振り分けられる。振分部材１２の具体的構成については後述する。振分部材１２によって第一誘導路１０ｄに振り分けられた遊技球は、振分部材１２下方に配置される誘導樋１０ｇを経て第一誘導路１０ｄに入り、第一誘導路１０ｄを通過して振分装置１の外部に排出される。振分部材１２によって第二誘導路１０ｅに振り分けられた遊技球は、第二誘導路１０ｅを通過して振分装置１の外部に排出される。第一誘導路１０ｄは、筐体本体１０ａの前面側を左方向に進んだ後に漏斗部１０ｈを経て下方に進み、筐体本体１０ａの左端の下側を後方に進むよう配置されている。第一誘導路１０ｄの筐体本体１０ａ前面側の部分は上方が開放されるよう形成されている。第二誘導路１０ｅは、筐体本体１０ａの前面側を右方向に進んだ後に下方に進み、筐体本体１０ａの右端の下側を後方に進むよう配置されている。第二誘導路１０ｅの一方の端部が筐体１０に接続する位置は、第一誘導路１０ｄの一方の端部が筐体１０に接続する位置よりも上方に設定されている。
【００１８】
［１．２．振分部材１２の構成の説明］
振分部材１２は、左側の回転部材１２Ｌと、右側の回転部材１２Ｒと、を有する。左側の回転部材１２Ｌは、筐体１０内の中央左寄りに配置され、前後方向に沿う回転軸を中心として回転可能になっている。右側の回転部材１２Ｒは、筐体１０内の中央右寄りに配置され、前後方向に沿う回転軸を中心として回転可能になっている。左側の回転部材１２Ｌおよび右側の回転部材１２Ｒは、互いに連動して反対方向に回転するようになっている。具体的には、左側の回転部材１２Ｌが正面から見て時計回りに回転すると、これに連動して右側の回転部材１２Ｒが正面から見て反時計回りに回転し、一方、左側の回転部材１２Ｌが正面から見て反時計回りに回転すると、これに連動して右側の回転部材１２Ｒが正面から見て時計回りに回転する。
【００１９】
回転部材１２Ｌは、自重によって正面から見て反時計回りに回転しようとし、回転部材１２Ｒは、自重によって正面から見て時計回りに回転しようとする。
左側の回転部材１２Ｌの外周面には二つの窪部１２Ｌａ，１２Ｌｂが形成されている。右側の回転部材１２Ｒの外周面には二つの窪部１２Ｒａ，１２Ｒｂが形成されている。左側の回転部材１２Ｌおよび右側の回転部材１２Ｒは、窪部１２Ｌａと窪部１２Ｒａとが互いに近接して対向する状態と窪部１２Ｌｂと窪部１２Ｒｂとが互いに近接して対向する状態との間で、互いに連動して反対方向に回転するようになっている。
【００２０】
窪部１２Ｌａと窪部１２Ｒａとが互いに近接して対向する状態にあるときには（第一姿勢、図４参照）、窪部１２Ｌａと窪部１２Ｒａとで遊技球を内包可能な空間が形成される。一対のガイド板１０ｆ，１０ｆの間を通過した遊技球がこの空間に入ると、遊技球の重みによって左側の回転部材１２Ｌが正面から見て時計回りに回転するとともに右側の回転部材１２Ｒが正面から見て時計回りに回転し、この空間から遊技球が落下可能な状態となる（図５参照）。このとき、窪部１２Ｌｂと窪部１２Ｒｂとが互いに近接して対向する状態となり、窪部１２Ｌｂと窪部１２Ｒｂとで遊技球を内包可能な空間が形成される。この空間から落下した遊技球は、振分部材１２下方に配置される誘導樋１０ｇを経て第一誘導路１０ｄに入る。このように、図４に示すように振分部材１２が第一姿勢にあるときには、受入口１０ｃから入った遊技球が、第一誘導路１０ｄには進行可能であるが、第二誘導路１０ｅには進行することができない。また、振分部材１２は、初期状態では第一姿勢であり、遊技球が通過すると第一姿勢から第二姿勢にその姿勢が変化する。
【００２１】
上述のように、窪部１２Ｌｂと窪部１２Ｒｂとが互いに近接して対向する状態となり（第二姿勢、図５参照）、窪部１２Ｌｂと窪部１２Ｒｂとで遊技球を内包可能な空間が形成されると、この空間には第二誘導路１０ｅの一方の端部が連通しており、一対のガイド板１０ｆ，１０ｆの間を通過した後にこの空間に入った遊技球は、第二誘導路１０ｅに入る。このように、図５に示すように振分部材１２が第二姿勢にあるときには、受入口１０ｃから入った遊技球が、第二誘導路１０ｅには進行可能であるが、第一誘導路１０ｄには進行することができない。
【００２２】
また、図５（ｃ）に示すように、左側の回転部材１２Ｌの背面側には突起１２Ｌｃが設けられている。この突起１２Ｌｃは、蓋１０ｂの長孔１０ｂａに内挿されるとともに、その先端が蓋１０ｂの背面側に突出している。また、右側の回転部材１２Ｒの背面側には突起１２Ｒｃが設けられている。この突起１２Ｒｃは、蓋１０ｂの長孔１０ｂｂに内挿されるとともに、その先端が蓋１０ｂの背面側に突出している。
【００２３】
図４（ｃ）に示すように振分部材１２が第一姿勢にあるときには、振分部材１２が第二姿勢にあるときに比べて、左側の回転部材１２Ｌの突起１２Ｌｃと右側の回転部材１２Ｒの突起１２Ｒｃとの間の距離が小さくなる。一方、図５（ｃ）に示すように振分部材１２が第二姿勢にあるときには、振分部材１２が第一姿勢にあるときに比べて、左側の回転部材１２Ｌの突起１２Ｌｃと右側の回転部材１２Ｒの突起１２Ｒｃとの間の距離が大きくなる。
【００２４】
［１．３．姿勢復帰機構１４の構成の説明］
姿勢復帰機構１４は、図１〜図４に示すように、ロック部材１６と、第一リンク機構１８と、第二リンク機構２０と、を備えている。
【００２５】
［１．３．１．ロック部材１６の構成の説明］
ロック部材１６は、蓋１０ｂの背面側に取り付けられている。ロック部材１６は、上端部が左右方向に沿って延出する軸状になっており、この軸状部分１６ａを中心に回動可能となっている。ロック部材１６の中央部には、左右方向に沿って延出する板状の係合部１６ｂが設けられている。ロック部材１６の下部には、右方向に屈曲する板状の錘１６ｃが設けられている。
【００２６】
ロック部材１６には、軸状部分１６ａの後方に、軸状部分１６ａに平行な軸状の軸状部材１６ｄが設けられている。軸状部材１６ｄは、両端がそれぞれ第一リンク機構１８の係合部材１８ｂおよび第二リンク機構２０の係合部材２０ｂに下方から支持されている。
【００２７】
ロック部材１６は、錘１６ｃの自重により、蓋１０ｂに向けて回動するが、振分部材１２が第一姿勢にあるときには、係合部１６ｂが突起１２Ｌｃおよび突起１２Ｒｃに当接して、これ以上の回動を阻止される。一方、ロック部材１６は、振分部材１２が第二姿勢にあるときには、係合部１６ｂが突起１２Ｌｃと突起１２Ｒｃとの間に入り込む状態まで、錘１６ｃの自重によって蓋１０ｂに向けて回動する。このとき、係合部１６ｂが邪魔となって突起１２Ｌｃおよび突起１２Ｒｃが移動できず、回転部材１２Ｌの正面から見て反時計回り方向への回転および回転部材１２Ｒの正面から見て時計回り方向への回転が阻止され、振分部材１２が第二姿勢から第一姿勢に変化するのが阻止される。
【００２８】
［１．３．２．第一リンク機構１８の構成の説明］
第一リンク機構１８は、当接部材１８ａと、係合部材１８ｂと、アーム部材１８ｃと、中継部材１８ｄと、アーム部材１８ｅと、から構成される。
【００２９】
当接部材１８ａは、筐体本体１０ａに取り付けられ、左右方向に沿う回転軸を中心に回動するようになっている。当接部材１８ａの先端は、第一誘導路１０ｄ内部に配置されている。当接部材１８ａは、先端に第一誘導路１０ｄを通過する遊技球が当接すると、左右方向に沿う回転軸を中心に回動するよう構成されている。
【００３０】
係合部材１８ｂは、蓋１０ｂに取り付けられ、左右方向に沿う回転軸を中心に回動するようになっている。係合部材１８ｂには、受け部１８ｂａが設けられている。受け部１８ｂａには、上方が開放された断面が凹状の部材であり、内部にロック部材１６の軸状部材１６ｄの左端部を回転可能に内挿可能である。
【００３１】
アーム部材１８ｃは、一方の端部が当接部材１８ａに連結されるとともに、他方の端部が中継部材１８ｄに連結されている。アーム部材１８ｃは、当接部材１８ａが回動すると、その回動力を伝達して、中継部材１８ｄを回動させるようになっている。
【００３２】
中継部材１８ｄは、蓋１０ｂに取り付けられ、左右方向に沿う回転軸を中心に回動するようになっている。中継部材１８ｄには、二つの受け部１８ｄａ，１８ｄｂが設けられている。下側の受け部１８ｄａは、筒状の部材であり、内部にアーム部材１８ｃの先端部が回転可能に内挿されている。上側の受け部１８ｄｂは、筒状の部材であり、内部にアーム部材１８ｅの先端部が回転可能に内挿されている。
【００３３】
アーム部材１８ｅは、一方の端部が中継部材１８ｄに連結されるとともに、他方の端部が係合部材１８ｂに連結されている。アーム部材１８ｅは、中継部材１８ｄが回動すると、その回動力を伝達して、係合部材１８ｂを回動させるようになっている。
【００３４】
以上のように構成された第一リンク機構１８は、第一誘導路１０ｄによって誘導される遊技球を所定位置で検知すると、遊技球の自重を利用して、振分部材１２を第二姿勢から第一姿勢に復帰させる機能を発揮する。
【００３５】
すなわち、第一誘導路１０ｄを通過する遊技球が当接板１８ａａに当接すると、図６に示すように、当接部材１８ａが回動し、アーム部材１８ｃが当接部材１８ａの回動を中継部材１８ｄに伝達する。中継部材１８ｄが回動すると、アーム部材１８ｅが中継部材１８ｄの回動を係合部材１８ｂに伝達して、係合部材１８ｂが上方に回動し、受け部１８ｂａが水平な状態となる。このとき、受け部１８ｂａの上方への回動に伴って、突起１２Ｌｃと突起１２Ｒｃとの間にあったロック部材１６の軸状部材１６ｄを押し上げる。押し上げられた軸状部材１６ｄが、突起１２Ｌｃと突起１２Ｒｃとの間から離れ、振分部材１２の回転部材１２Ｌおよび回転部材１２Ｒが回転可能となり、左側の回転部材１２Ｌが正面から見て反時計回りに回転するとともに、右側の回転部材１２Ｒが正面から見て時計回りに回転して、振分部材１２が第二姿勢から第一姿勢に変化する。このとき、突起１２Ｌｃと突起１２Ｒｃとの間の距離が小さくなる。
【００３６】
その後、当接板１８ａａに当接した遊技球が通過すると、図４に示すように、当接部材１８ａが回動して元の姿勢となり、アーム部材１８ｃが当接部材１８ａの回動を中継部材１８ｄに伝達する。中継部材１８ｄが回動すると、アーム部材１８ｅが中継部材１８ｄの回動を係合部材１８ｂに伝達して、係合部材１８ｂが下方に回動し、受け部１８ｂａが傾斜する状態となる。このとき、振分部材１２が第一姿勢にあるために突起１２Ｌｃと突起１２Ｒｃとの間の距離が小さくなっており、下方に回動するロック部材１６は、軸状部材１６ｄが突起１２Ｌｃおよび突起１２Ｒｃに当接した姿勢で停止する。
【００３７】
［１．３．３．第二リンク機構２０の構成の説明］
第二リンク機構２０は、当接部材２０ａと、係合部材２０ｂと、アーム部材２０ｃと、中継部材２０ｄと、アーム部材２０ｅと、から構成される。
【００３８】
当接部材２０ａは、筐体本体１０ａに取り付けられ、左右方向に沿う回転軸を中心に回動するようになっている。当接部材２０ａの先端は、第二誘導路１０ｅ内部に配置されている。当接部材２０ａは、先端に第二誘導路１０ｅを通過する遊技球が当接すると、左右方向に沿う回転軸を中心に回動するよう構成されている。
【００３９】
係合部材２０ｂは、蓋１０ｂに取り付けられ、左右方向に沿う回転軸を中心に回動するようになっている。係合部材２０ｂには、受け部２０ｂａが設けられている。受け部２０ｂａには、上方が開放された断面が凹状の部材であり、内部にロック部材１６の軸状部材１６ｄの右端部を回転可能に内挿可能である。
【００４０】
アーム部材２０ｃは、一方の端部が当接部材２０ａに連結されるとともに、他方の端部が中継部材２０ｄに連結されている。アーム部材２０ｃは、当接部材２０ａが回動すると、その回動力を伝達して、中継部材２０ｄを回動させるようになっている。
【００４１】
中継部材２０ｄは、蓋１０ｂに取り付けられ、左右方向に沿う回転軸を中心に回動するようになっている。中継部材２０ｄには、二つの受け部２０ｄａ，２０ｄｂが設けられている。下側の受け部２０ｄａは、筒状の部材であり、内部にアーム部材２０ｃの先端部が回転可能に内挿されている。上側の受け部２０ｄｂは、筒状の部材であり、内部にアーム部材２０ｅの先端部が回転可能に内挿されている。
【００４２】
アーム部材２０ｅは、一方の端部が中継部材２０ｄに連結されるとともに、他方の端部が係合部材２０ｂに連結されている。アーム部材２０ｅは、中継部材２０ｄが回動すると、その回動力を伝達して、係合部材２０ｂを回動させるようになっている。
【００４３】
以上のように構成された第二リンク機構２０は、第二誘導路１０ｅによって誘導される遊技球を所定位置で検知すると、遊技球の自重を利用して、振分部材１２を第二姿勢から第一姿勢に復帰させる機能を発揮する。
【００４４】
すなわち、第二誘導路１０ｅを通過する遊技球が当接板２０ａａに当接すると、図７に示すように、当接部材２０ａが回動し、アーム部材２０ｃが当接部材２０ａの回動を中継部材２０ｄに伝達する。中継部材２０ｄが回動すると、アーム部材２０ｅが中継部材２０ｄの回動を係合部材２０ｂに伝達して、係合部材２０ｂが上方に回動し、受け部２０ｂａが水平な状態となる。このとき、受け部２０ｂａの上方への回動に伴って、突起１２Ｌｃと突起１２Ｒｃとの間にあったロック部材１６の軸状部材１６ｄを押し上げる。押し上げられた軸状部材１６ｄが、突起１２Ｌｃと突起１２Ｒｃとの間から離れ、振分部材１２の回転部材１２Ｌおよび回転部材１２Ｒが回転可能となり、左側の回転部材１２Ｌが正面から見て反時計回りに回転するとともに、右側の回転部材１２Ｒが正面から見て時計回りに回転して、振分部材１２が第二姿勢から第一姿勢に変化する。このとき、突起１２Ｌｃと突起１２Ｒｃとの間の距離が小さくなる。
【００４５】
その後、当接板２０ａａに当接した遊技球が通過すると、図４に示すように、当接部材２０ａが回動して元の姿勢となり、アーム部材２０ｃが当接部材２０ａの回動を中継部材２０ｄに伝達する。中継部材２０ｄが回動すると、アーム部材２０ｅが中継部材２０ｄの回動を係合部材２０ｂに伝達して、係合部材２０ｂが下方に回動し、受け部２０ｂａが傾斜する状態となる。このとき、振分部材１２が第一姿勢にあるために突起１２Ｌｃと突起１２Ｒｃとの間の距離が小さくなっており、下方に回動するロック部材１６は、軸状部材１６ｄが突起１２Ｌｃおよび突起１２Ｒｃに当接した姿勢で停止する。
【００４６】
［２．振分装置１の動作の説明］
次に、振分装置１の動作を、図４〜図７を参照して説明する。
（１）初期状態
図４に示すように、初期状態では、回転部材１２Ｌが正面から見て反時計回りに回転するとともに、回転部材１２Ｒが正面から見て時計回りに回転して、窪部１２Ｌａと窪部１２Ｒａとが互いに近接して対向する状態にあり（第一姿勢）、窪部１２Ｌａと窪部１２Ｒａとで遊技球を内包可能な空間が形成されている。また、突起１２Ｌｃと突起１２Ｒｃとの間の距離が小さくなっており、ロック部材１６の軸状部材１６ｄが突起１２Ｌｃおよび突起１２Ｒｃに当接した姿勢で停止する状態となっている。
【００４７】
（２）遊技球の振り分け＜その１＞
遊技領域を転動した遊技球が受入口１０ｃから筐体１０内部に入ると、この遊技球が筐体１０内部に入った後に一対のガイド板１０ｆ，１０ｆの間を通過し、窪部１２Ｌａと窪部１２Ｒａとで形成された空間に入る。すると、遊技球の重みによって回転部材１２Ｌが正面から見て時計回りに回転するとともに回転部材１２Ｒが正面から見て時計回りに回転し、図５に示すように、この空間から遊技球が落下可能な状態となる。このとき、窪部１２Ｌｂと窪部１２Ｒｂとが互いに近接して対向する状態となり、窪部１２Ｌｂと窪部１２Ｒｂとで遊技球を内包可能な空間が形成される。落下した遊技球は、振分部材１２下方に配置される誘導樋１０ｇを経て第一誘導路１０ｄに入る。
【００４８】
なお、回転部材１２Ｌが正面から見て時計回りに回転するとともに回転部材１２Ｒが正面から見て時計回りに回転すると、これに伴って突起１２Ｌｃと突起１２Ｒｃとの間の距離が大きくなり、ロック部材１６が錘１６ｃの自重によって蓋１０ｂに向けて回動して、係合部１６ｂが突起１２Ｌｃと突起１２Ｒｃとの間に入り込む状態となる。このとき、係合部１６ｂが邪魔となって突起１２Ｌｃおよび突起１２Ｒｃが移動できず、回転部材１２Ｌの正面から見て反時計回り方向への回転および回転部材１２Ｒの正面から見て時計回り方向への回転が阻止され、振分部材１２が第二姿勢から第一姿勢に変化するのが阻止される。
【００４９】
さらに、第一誘導路１０ｄに入った遊技球は、筐体本体１０ａの前面側を左方向に進んだ後に漏斗部１０ｈを経て下方に進み、筐体本体１０ａの左端の下側を後方に進んだ後に振分装置１の外部に排出される。
【００５０】
この過程で、第一誘導路１０ｄを通過する遊技球は、図６に示すように、当接板１８ａａに当接して当接部材１８ａを回動させる。この当接部材１８ａの回動が、アーム部材１８ｃ、中継部材１８ｄおよびアーム部材１８ｅを介して係合部材１８ｂに伝達され、係合部材１８ｂは上方に回動し、受け部１８ｂａが水平な状態となる。この受け部１８ｂａの上方への回動に伴って、突起１２Ｌｃと突起１２Ｒｃとの間にあったロック部材１６の軸状部材１６ｄが押し上げられる。そして、押し上げられた軸状部材１６ｄが突起１２Ｌｃと突起１２Ｒｃとの間から離れ、回転部材１２Ｌおよび回転部材１２Ｒが回転可能となる。回転部材１２Ｌが正面から見て反時計回りに回転するとともに、回転部材１２Ｒが正面から見て時計回りに回転して、振分部材１２が第二姿勢から第一姿勢に変化し、初期状態に戻る。
【００５１】
その後、当接板１８ａａに当接した遊技球が通過すると、当接部材１８ａが回動して元の姿勢になる。この当接部材１８ａの回動が、アーム部材１８ｃ、中継部材１８ｄおよびアーム部材１８ｅを介して係合部材１８ｂに伝達され、係合部材１８ｂは回動し、受け部１８ｂａが傾斜する状態となる。このとき、振分部材１２が第一姿勢にあるために突起１２Ｌｃと突起１２Ｒｃとの間の距離が小さくなっており、下方に回動するロック部材１６は、軸状部材１６ｄが突起１２Ｌｃおよび突起１２Ｒｃに当接した姿勢で停止する。
【００５２】
（３）遊技球の振り分け＜その２＞
一方、図５に示すように、回転部材１２Ｌが正面から見て時計回りに回転するとともに回転部材１２Ｒが正面から見て時計回りに回転して、窪部１２Ｌｂと窪部１２Ｒｂとが互いに近接して対向する状態となっている場合、すなわち、振分部材１２が第二姿勢にある場合に、遊技領域を転動した遊技球が受入口１０ｃから筐体１０内部に入ったときには、この遊技球は、筐体１０内部に入った後に一対のガイド板１０ｆ，１０ｆの間を通過し、窪部１２Ｌｂと窪部１２Ｒｂとで形成された空間に入る。この空間に入った遊技球は、この空間に連通する第二誘導路１０ｅに入る。
【００５３】
さらに、第二誘導路１０ｅに入った遊技球は、筐体本体１０ａの前面側を右方向に進んだ後に下方に進み、筐体本体１０ａの右端の下側を後方に進後に振分装置１の外部に排出される。
【００５４】
この過程で、第二誘導路１０ｅを通過する遊技球は、図７に示すように、当接板２０ａａに当接して当接部材２０ａを回動させる。この当接部材２０ａの回動が、アーム部材２０ｃ、中継部材２０ｄおよびアーム部材２０ｅを介して係合部材２０ｂに伝達され、係合部材２０ｂは上方に回動し、受け部２０ｂａが水平な状態となる。この受け部２０ｂａの上方への回動に伴って、突起１２Ｌｃと突起１２Ｒｃとの間にあったロック部材１６の軸状部材１６ｄが押し上げられる。そして、押し上げられた軸状部材１６ｄが突起１２Ｌｃと突起１２Ｒｃとの間から離れ、回転部材１２Ｌおよび回転部材１２Ｒが回転可能となる。回転部材１２Ｌが正面から見て反時計回りに回転するとともに、回転部材１２Ｒが正面から見て時計回りに回転して、振分部材１２が第二姿勢から第一姿勢に変化し、初期状態に戻る。
【００５５】
その後、当接板２０ａａに当接した遊技球が通過すると、図４に示すように、当接部材２０ａが回動して元の姿勢になる。この当接部材２０ａの回動が、アーム部材２０ｃ、中継部材２０ｄおよびアーム部材２０ｅを介して係合部材２０ｂに伝達され、係合部材２０ｂは下方に回動し、受け部２０ｂａが傾斜する状態となる。このとき、振分部材１２が第一姿勢にあるために突起１２Ｌｃと突起１２Ｒｃとの間の距離が小さくなっており、下方に回動するロック部材１６は、軸状部材１６ｄが突起１２Ｌｃおよび突起１２Ｒｃに当接した姿勢で停止する。
【００５６】
なお、振分部材１２が第二姿勢から第一姿勢に戻る前に、遊技領域を転動した遊技球が受入口１０ｃから筐体１０内部に入った場合にも、当該振分装置１は同様の動作を行う。
［３．実施形態の効果］
（１）このように本実施形態の振分装置１によれば、姿勢復帰機構１４が、振分部材１２によって振り分けられた遊技球を所定位置（当接板１８ａａの位置および当接板２０ａａの位置）で検知すると、遊技球の自重を利用して、振分部材１２を第二姿勢から第一姿勢に復帰させる。このことにより、当接板１８ａａの位置および当接板２０ａａの位置を振分位置から離れた場所に設定することで、受入口１０ｃから入った遊技球を振り分ける方向を一時的に変更している時間を長く設定可能とすることができ、高い演出効果を発揮することができる。
【００５７】
（２）また、本実施形態の振分装置１によれば、万が一、第一誘導路１０ｄ側の遊技球の通過時に振分部材１２が元の位置に復帰しなかった場合でも、第二誘導路１０ｅ側の遊技球の通過時に振分部材１２を元の位置に復帰させることができる。
【符号の説明】
【００５８】
１…振分装置、１０…筐体、１０ａ…筐体本体、１０ｂ…蓋、１０ｂａ，１０ｂｂ…長孔、１０ｃ…受入口、１０ｄ…第一誘導路、１０ｅ…第二誘導路、１０ｆ…ガイド板、１０ｇ…誘導樋、１０ｈ…漏斗部、１２…振分部材、１２Ｌ…回転部材、１２Ｌａ，１２Ｌｂ…窪部、１２Ｌｃ…突起、１２Ｒ…回転部材、１２Ｒａ，１２Ｒｂ…窪部、１２Ｒｃ…突起、１４…姿勢復帰機構、１６…ロック部材、１６ａ，１６ｄ…軸状部分、１６ｂ…係合部、１６ｃ…錘、１８…第一リンク機構、１８ａ…当接部材、１８ａａ…当接板、１８ｂ…係合部材、１８ｂａ，１８ｄａ，１８ｄｂ…受け部、１８ｃ，１８ｅ…アーム部材、１８ｄ…中継部材、２０…第二リンク機構、２０ａ…当接部材、２０ａａ…当接板、２０ｂ…係合部材、２０ｂａ，２０ｄａ，２０ｄｂ…受け部、２０ｃ，２０ｅ…アーム部材、２０ｄ…中継部材。
【図１】
0006375532.tif 000002
【図２】
0006375532.tif 000003
【図３】
0006375532.tif 000004
【図４】
0006375532.tif 000005
【図５】
0006375532.tif 000006
【図６】
0006375532.tif 000007
【図７】
0006375532.tif 000008